(57)【要約】【課題】展開および折り畳みが簡単にできる、横引用コンパクト看板を提供することを目的とする。【解決手段】横引用コンパクト看板１は、２本の支柱５ａ，５ｂを横方向に展開するシザース機構と、これらの支柱５ａ，５ｂに取り付けられて、２本の支柱５の展開に連動して横方向にスクリーン１９が引き延ばされ、かつ、２本の支柱５ａ，５ｂの接近に連動して横方向にスクリーン１９を巻き取る巻取バネが内蔵されているロールスクリーン９とから構成され、シザース機構における２本の支柱５ａ，５ｂの間には、Ｘ状に２本の支持部材７ａ，７ｂを配置しており、これらの支持部材７ａ，７ｂは、各々の支柱５ａ，５ｂの長手方向に内蔵されている引っ張りバネ３により、２本の支柱５ａ，５ｂを横方向に展開させるように作用している。【選択図】図１
2015036693.tif 000002
【特許請求の範囲】
【請求項１】
２本の支柱を横方向に展開するシザース機構と、これらの支柱に取り付けられて、２本の支柱の展開に連動して横方向にスクリーンが引き延ばされ、かつ、２本の支柱の接近に連動して横方向にスクリーンを巻き取る巻取バネが内蔵されているロールスクリーンとから構成され、シザース機構における２本の支柱の間には、Ｘ状に２本の支持部材を配置しており、これらの支持部材は、各々の支柱の長手方向に内蔵されている引っ張りバネにより、２本の支柱を横方向に展開させるように作用している事を特徴とする横引用コンパクト看板。
【請求項２】
シザース機構におけるＸ状に配置された各支持部材の上端は各々の支柱の上端部に回動可能に固定され、各支持部材の下端は各々の支柱の長手方向に移動可能に取り付けられており、この下端が引っ張りバネにより各々の支柱の上端部側に付勢されている事を特徴とする請求項１に記載の横引用コンパクト看板。
【請求項３】
各々の支柱の内部に、引っ張りバネの下端と支持部材の下端とが取り付けられ、支柱の長手方向に移動するスライド部材を備えている事を特徴とする請求項１または２に記載の横引用コンパクト看板。
【請求項４】
各々の支柱の内部に引っ張りバネの上端と支持部材の上端とが取り付けられている固定部材を備え、２本の支柱が展開される方向から見て、この固定部材の左右に引っ張りバネと支持部材とが並んで配置されている事を特徴とする請求項１乃至３に記載の横引用コンパクト看板。
【請求項５】
各々の支柱は、２本の支柱を接近して折り畳んだ状態で支柱の内部に各支持部材を収納するための長溝を有する事を特徴とする請求項１乃至４に記載の横引用コンパクト看板。
【請求項６】
２本の支持部材が交差する角度が所定角度を超えると、ロールスクリーンの巻取りバネの巻取り張力よりも、引っ張りバネの引っ張り張力により生じるシザース機構が展開しようとする展開分力が大きくなり、シザース機構が自動的に展開するように、引っ張りバネと巻取バネが対応設計されている事を特徴とする請求項１乃至５に記載の横引用コンパクト看板。
【発明の詳細な説明】
【技術分野】
【０００１】
本発明は、展開および折り畳みが簡単にできる、横引き用コンパクト看板に関するものである。
【背景技術】
【０００２】
従来の道路工事用看板は、文字や標識が書かれているシートと、このシートを支える折り畳み可能な脚部とを備えていた（例えば、特許文献１）。そして、特許文献１は、道路工事用看板を収納する際には、シートを脚部から取り外した後に、脚部を折り畳む構成を開示している。
【０００３】
また、この道路工事用看板を設置する際には、脚部をシートの横幅に合わせて広げた後に、シートを脚部に取り付ける必要があった。
【先行技術文献】
【特許文献】
【０００４】
【特許文献１】特開２００６−２６７７７５号公報
【発明の概要】
【発明が解決しようとする課題】
【０００５】
しかし、特許文献１の構成による道路工事用看板では、脚部を広げる際に、シートの横幅より脚部を大きく展開しまった場合には、シートの取り付けができないという問題があった。その場合は、脚部の横幅を狭める調整をする必要があった。
【０００６】
また、脚部を展開する際には、Ｘ状に配置された２つの支持部材の下部を、左右交互に支柱の上方へ移動させる必要が有り、手間がかかるという問題があった。
【０００７】
そこで、本発明は、展開および折り畳みが簡単にできる、横引用コンパクト看板を提供することを目的とする。
【課題を解決するための手段】
【０００８】
上記課題を解決するために、請求項１に記載の横引用コンパクト看板に係る発明は、例えば、図１乃至図５，図１０乃至図１２に示すように、２本の支柱を横方向に展開するシザース機構と、これらの支柱に取り付けられて、２本の支柱の展開に連動して横方向にスクリーンが引き延ばされ、かつ、２本の支柱の接近に連動して横方向にスクリーンを巻き取る巻取バネが内蔵されているロールスクリーンとから構成され、シザース機構における２本の支柱の間には、Ｘ状に２本の支持部材を配置しており、これらの支持部材は、各々の支柱の長手方向に内蔵されている引っ張りバネにより、２本の支柱を横方向に展開させるように作用している事を特徴とする。
【０００９】
請求項１に記載の横引用コンパクト看板に係る発明によれば、２本の支柱に取り付けられて、２本の支柱の展開に連動して横方向にスクリーンが引き延ばされるロールスクリーンを有するので、展開が簡単にでき、かつ、２本の支柱の接近に連動して横方向にスクリーンを巻き取る巻取バネが内蔵されているロールスクリーンを有するので、折り畳みが簡単にできる横引用コンパクト看板を提供することができる。
【００１０】
また、Ｘ状に２本の支持部材を配置しており、これらの支持部材は、各々の支柱の長手方向に内蔵されている引っ張りバネにより、２本の支柱を横方向に展開させるように作用しているので、少ない力で簡単に展開することができる。
【００１１】
請求項２に記載の横引用コンパクト看板に係る発明は、例えば、図４乃至図８に示すように、シザース機構におけるＸ状に配置された各支持部材の上端は各々の支柱の上端部に回動可能に固定され、各支持部材の下端は各々の支柱の長手方向に移動可能に取り付けられており、この下端が引っ張りバネにより各々の支柱の上端部側に付勢されている事を特徴とする。
【００１２】
請求項２に記載の横引用コンパクト看板に係る発明によれば、この下端が引っ張りバネにより各々の支柱の上端部側に付勢されているので、Ｘ状に配置された支持部材の両方の下端が引っ張りバネの力により支柱の上部側に同時に移動し、横引用コンパクト看板を簡単に展開することができる。
【００１３】
請求項３に記載の横引用コンパクト看板に係る発明は、例えば、図６乃至図７に示すように、各々の支柱の内部に、引っ張りバネの下端と支持部材の下端とが取り付けられ、支柱の長手方向に移動するスライド部材を備えている事を特徴とする。
【００１４】
請求項３に記載の横引用コンパクト看板に係る発明によれば、支柱の長手方向に移動するスライド部材を備えているので、Ｘ状に配置された支持部材の両方の下端が引っ張りバネの力により支柱の上部側にスムーズに移動し、横引用コンパクト看板を簡単に展開することができる。
【００１５】
請求項４に記載の横引用コンパクト看板に係る発明は、例えば、図６（ａ）および図８（ａ）に示すように、各々の支柱の内部に引っ張りバネの上端と支持部材の上端とが取り付けられている固定部材を備え、２本の支柱が展開される方向から見て、この固定部材の左右に引っ張りバネと支持部材とが並んで配置されている事を特徴とする。
【００１６】
請求項４に記載の横引用コンパクト看板に係る発明によれば、固定部材の左右に引っ張りバネと支持部材とが並んで配置されているので、横引用コンパクト看板を折り畳んだ時に引っ張りバネと支持部材とが干渉することがなくコンパクトに収納することができる。
【００１７】
請求項５に記載の横引用コンパクト看板に係る発明は、例えば、図３および図４に示すように、各々の支柱は、２本の支柱を接近して折り畳んだ状態で支柱の内部に各支持部材を収納するための長溝を有する事を特徴とする。
【００１８】
請求項５に記載の横引用コンパクト看板に係る発明によれば、支柱の内部に各支持部材を収納するための長溝を有するので、横引用コンパクト看板を折り畳んだ時に各支持部材を長溝に収納して、コンパクトに折り畳むことができる。
【００１９】
請求項６に記載の横引用コンパクト看板に係る発明は、例えば、図１１および図１２に示すように、２本の支持部材が交差する角度が所定角度を超えると、ロールスクリーンの巻取りバネの巻取り張力よりも、引っ張りバネの引っ張り張力により生じるシザース機構が展開しようとする展開分力が大きくなり、シザース機構が自動的に展開するように、引っ張りバネと巻取バネが対応設計されている事を特徴とする。
【００２０】
請求項６に記載の横引用コンパクト看板に係る発明によれば、２本の支持部材が交差する角度が所定角度を超えると、ロールスクリーンの巻取りバネの巻取り張力よりも、引っ張りバネの引っ張り張力により生じるシザース機構が展開しようとする展開分力が大きくなり、シザース機構が自動的に展開するように、引っ張りバネと巻取バネが対応設計されているので、折り畳んだ状態から所定の間隔だけ２本の支持部材を離すことにより、余計な力を加えることなく自動的に展開する横引用コンパクト看板を提供することができる。
【発明の効果】
【００２１】
本発明によれば、展開および折り畳みが簡単にできる、横引用コンパクト看板を提供することができる。
【図面の簡単な説明】
【００２２】
【図１】本発明に係る横引用コンパクト看板の、展開時の状態を示す正面斜視図である。
【図２】本発明に係る横引用コンパクト看板の、折り畳み時の状態を示す背面斜視図である。
【図３】本発明に係る横引用コンパクト看板の、補助足を引き出した状態を示す背面斜視図である。
【図４】本発明に係る横引用コンパクト看板の、展開中の状態を示す背面斜視図である。
【図５】本発明に係る横引用コンパクト看板の、展開後の状態を示す背面斜視図である。
【図６】本発明に係る横引用コンパクト看板の、支柱と支持部材の取り付け状態を示すもので、（ａ）は図５のＡ部拡大図であり、（ｂ）は図５のＢ部拡大図である。
【図７】本発明に係る横引用コンパクト看板の、支柱に内蔵された引っ張りバネの下端と支持部材の下端とスライド部材との関係を示す部分拡大図である。
【図８】本発明に係る横引用コンパクト看板の、引っ張りバネの構成を示すもので、（ａ）は支柱に内蔵された引っ張りバネの上端と支持部在の上端と固定部材との関係を示す部分拡大図であり、（ｂ）は引っ張りバネの下端と支持部材の下端とスライド部材との関係を示す部分拡大図である。
【図９】本発明に係る横引用コンパクト看板の、ロールスクリーンの平面模式図である（図１を上方から見た状態に対応している）。
【図１０】本発明に係る横引用コンパクト看板の、折り畳み時の状態を示す正面模式図である。
【図１１】本発明に係る横引用コンパクト看板の、展開中の状態を示す正面模式図である。
【図１２】本発明に係る横引用コンパクト看板の、展開後の状態を示す正面模式図である。
【発明を実施するための形態】
【００２３】
以下に、図面を参照して、本発明の一実施の形態について説明する。
【００２４】
＜実施の形態＞
図１乃至図１２は、本発明に係る横引用コンパクト看板１の一実施の形態を示している。本発明に係る横引用コンパクト看板１は、コイルバネからなる引っ張りバネ３を内蔵した断面中空の２本の支柱５ａ，５ｂとこれら支柱５ａ，５ｂ間に取り付けられてＸ状に配置された２本の支持部材７ａ，７ｂとからなる横方向に展開するシザース機構と、各々の支柱５ａ，５ｂの前面に展開可能に取り付けられているロールスクリーン９と、各々の支柱５ａ，５ｂの後部に展開可能に取り付けられている２本の補助脚１１ａ，１１ｂとから構成されている。支柱５ａ，５ｂの上下には、蓋６がそれぞれ取り付けられている。
【００２５】
図４乃至図８に示すように、各支持部材７ａ，７ｂは、ウエブの両端から垂直に伸びるフランジを有する断面コ字形であり、お互いのウエブが接するようにＸ状に開閉可能に中間部でピン接合されている。２本の支持部材７ａ，７ｂの下端は、引っ張りバネ３により支柱５ａ，５ｂの上方へそれぞれ付勢されている。また、各々の支柱５ａ，５ｂは、２本の支柱５ａ，５ｂを接近させて折り畳んだ状態で、支柱５ａ，５ｂの内部に各支持部材７ａ，７ｂを収納するための長溝１３を有する。
【００２６】
各補助脚１１ａ，１１ｂは、上端が支柱５ａ，５ｂの長手方向において中間部より上方に固定板１１ａ１，１１ｂ１を介して回動可能に取り付けられている。そして、補助脚１１ａ，１１ｂの下部を支柱５ａ，５ｂの後方に移動させることで、横引用コンパクト看板１が自立可能になる。
【００２７】
また、支柱５ａ，５ｂと、この支柱５ａ，５ｂに取り付けられている補助脚１１ａ，１１ｂとのそれぞれの中間部付近を繋ぐ、第１の補強部材１５ａ，１５ｂが設けられている。そして、補助脚１１ａ，１１ｂを支柱５ａ，５ｂの後方に展開した状態では、横引用コンパクト看板１の側方からみて、支柱５ａ，５ｂと補助脚１１ａ，１１ｂと第１の補強部材１５ａ，１５ｂとで、略Ａ字形を形成している。
【００２８】
さらに、各々の支柱５ａ，５ｂに取り付けられている補助脚１１ａ，１１ｂの下部を繋ぐ、第２の補強部材１７が設けられている。そして、横引用コンパクト看板１を展開した状態では、横引用コンパクト看板１の前方からみて、補助脚１１ａ，１１ｂと第２の補強部材１７とで、略凹形を形成している。
【００２９】
第１の補強部材１５ａ，１５ｂは、それぞれ矩形の２枚の板で構成されている。そして、２枚の板の一方の端部が重なった部分で回動可能にピン接合され、他端が支柱５ａ，５ｂと補助脚１１ａ，１１ｂの中間部付近に回動可能にピン接合されている。また、第２の補強部材１７は、それぞれ矩形の２枚の板で構成されている。そして、２枚の板の一方の端部が重なった部分で回動可能にピン接合され、他端が２本の補助脚１１ａ，１１ｂの下部に回動可能にピン接合されている。
【００３０】
ロールスクリーン９は、図１、図９に示すように、文字、標識を直接印刷したビニールシートやメッシュ織物等のスクリーン１９を自動で巻き上げる巻取バネ９ａが内蔵されている縦長のスクリーン収納部２１と、引き出されるスクリーン１９の端部が固定されている縦長のスクリーン支持部２３とから構成されている。スクリーン収納部２１には、スクリーン１９を巻き取る巻き取り軸（図示せず）が回転自在に取り付けられている。
【００３１】
図１、図８（ａ）,（ｂ）に示すように、スクリーン収納部２１は、左側の支柱５ａの前面に、支柱５ａの長手方向に沿ってボルトＢとナットＮで縦長に固定されている。また、図１、図６（ａ）に示すように、スクリーン支持部２３は、右側の支柱５ｂの前面に、支柱５ｂの長手方向に沿ってボルトＢとナットＮで縦長に固定されている。
【００３２】
そして、図３乃至図５に示すように、ロールスクリーン９は、２本の支柱５ａ，５ｂの展開に連動して横方向にスクリーン１９が引き延ばされ、かつ、２本の支柱５ａ，５ｂの接近に連動して横方向にスクリーン１９を巻き取るように動作する。また、２本の支柱５ａ，５ｂの展開に連動して、２本の支柱５ａ，５ｂにＸ状に配置された支持部材７ａ，７ｂは、各々の支柱５ａ，５ｂの長手方向に内蔵されている引っ張りバネ３により、２本の支柱５ａ，５ｂを横方向に展開させるように作用している。
【００３３】
図４乃至図８に示すように、シザース機構におけるＸ状に配置された各支持部材７ａ，７ｂの上端は、各々の支柱５ａ，５ｂの上端部に回動可能に固定され、各支持部材７ａ，７ｂの下端は、各々の支柱５ａ，５ｂの長手方向に移動可能に取り付けられている。そして、各支持部材７ａ，７ｂの下端は、引っ張りバネ３により、各々の支柱５ａ，５ｂの上端部側に付勢されている。
【００３４】
例えば、図６（ａ）に示すように、スクリーン支持部２３が取り付けられている支柱５ｂ内部には、支持部材７ｂの上端および引っ張りバネ３が取り付けられている固定部材２５が配置されている。この固定部材２５は、支柱５ｂを貫通する孔に、ボルトＢとナットＮを介して、回転可能に固定されている。そして、支柱５ｂの上端部には、支持部材７ｂの上端が、固定部材２５と共に回動可能に固定されている。
【００３５】
図６（ａ），図８（ａ）に示すように、固定部材２５は円柱形状であり、固定部材２５にはこの円柱形状の両端に支柱５ａ，５ｂ内部の前後に形成されている縦長の溝１３ａを形成する２つの凸部にはめ込まれている２つの凹部が環状に形成されている。これら２つの凹部の間に引っ張りバネ３の上端と連結される上部側リング２７が取り付けられている凹部が環状に形成されている。
【００３６】
また、図８（ａ）に示すように、スクリーン収納部２１が取り付けられている支柱５ａ内部には、支持部材７ａの上端および引っ張りバネ３の上端が取り付けられている固定部材２５が配置され、２本の支柱５ａ，５ｂが展開される方向から見て、この固定部材２５の左右に引っ張りバネ３と支持部材７ａとが左右に並んで配置されている。そして、固定部材２５は、支持部材７ａの上端を挟んで、支柱５ａを貫通する孔にボルトＢとナットＮで回転可能に固定されている。そして、支持部材７ａ，７ｂの上端は、固定部材２５と共に、回動可能に支柱５ａ，５ｂの上端部に固定されている。
【００３７】
図６（ｂ），図７，図８（ｂ）に示すように、各々の支柱５ａ，５ｂの内部に、引っ張りバネ３の下端と支持部材７ａ，７ｂの下端とが取り付けられ、支柱５ａ，５ｂの長手方向に移動するスライド部材２９が配置され、２本の支柱５ａ，５ｂが展開される方向から見て、このスライド部材２９の左右に引っ張りバネ３と支持部材７ａ，７ｂとが左右に並んで配置されている。それぞれのスライド部材２９は、支持部材７ａ，７ｂの下端を挟んで、ボルトＢとナットＮで回転可能に固定されている。そして、支持部材７ａ，７ｂの下端は、スライド部材２９と共に、支柱５ａ，５ｂの長手方向にスライド可能となるように、支柱５ａ，５ｂ内部に配置されている。
【００３８】
図６（ｂ），図８（ｂ）に示すように、スライド部材２９は円柱形状であり、スライド部材２９にはこの円柱形状の両端に支柱内部の前後に形成されている縦長の溝１３ａを形成する２つの凸部にはめ込まれている２つの凹部が環状に形成されている。これら２つの凹部の間に引っ張りバネ３の上端と連結される下部側リング３１が取り付けられている凹部が環状に形成されている。
【００３９】
次に、図２乃至図５を参照して、横引用コンパクト看板１を展開する状態について説明する。
【００４０】
図２に示すように、折り畳んだ状態の横引用コンパクト看板１では、スクリーン１９がスクリーン収納部２１の巻き取り軸に巻き取られており、支持部材７ａ，７ｂが支柱５ａ，５ｂの長溝１３に収納されて外部から見えないようになっている。支柱５ａ，５ｂと補助脚１１ａ，１１ｂは、互いに平行に配置されている。第１の補強部材１５ａ，１５ｂと第２の補強部材１７は、それぞれピン接合された部分が上方へ向けられ、折り畳まれている。
【００４１】
横引用コンパクト看板１を展開する時は、まず、図３に示すように、補助脚１１ａ，１１ｂの下端部を、支柱５ａ，５ｂから離すようにして、支柱５ａ，５ｂの後部に移動させる。この時、第１の補強部材１５ａ，１５ｂが伸びて一直線状になる。
【００４２】
次に、図４に示すように、２本の支柱５ａ，５ｂを横方向（左右）に少し展開すると、２本の支柱５ａ，５ｂの展開に連動して、横方向にスクリーン１９がスクリーン収納部２１から引き延ばされる。また、Ｘ状に配置された各支持部材７ａ，７ｂの下端が、支柱５ａ，５ｂ内部において上方に移動すると共に、第２の補強部材１７が少し展開する。
【００４３】
さらに、２本の支柱５ａ，５ｂを横方向（左右）に展開すると、各々の支柱５ａ，５ｂの長手方向に内蔵されている引っ張りバネ３により２本の支柱５ａ，５ｂを横方向に展開させるように作用している力が、ロールスクリーン９を巻き取る巻取バネ９ａの力より大きくなり、引っ張りバネ３の力により自動的に２本の支柱５ａ，５ｂを離間させて、横引用コンパクト看板１を展開する。
【００４４】
そして、図５に示すように、第２の補強部材１７が一直線になるまで、引っ張りバネ３の力により、横引用コンパクト看板１が展開される。
【００４５】
次に、図１０乃至図１２を参照して、支柱５ａ，５ｂ内の引っ張りバネ３の引っ張り張力Ｆ１と、ロールスクリーン９の巻取バネ９ａの巻取り張力Ｆ２と、引っ張り張力Ｆ１により生じるシザース機構が展開しようとする展開分力Ｆ３の関係について説明する。
【００４６】
図１０に示すように、横引用コンパクト看板１を折り畳んだ時、引っ張りバネ３が最大に伸張されている状態になり、展開分力Ｆ３が最小となる。このとき、ロールスクリーン９の巻取り張力Ｆ２と展開分力Ｆ３の関係が、Ｆ２＞Ｆ３を満たすように、引っ張りバネ３の引っ張り張力Ｆ１と巻取バネ９ａの巻取り張力Ｆ２とを決定する。この決定に基づき引っ張りバネ３と巻取バネ９ａを対応設計する。
【００４７】
図１１に示すように、２本の支持部材７ａ，７ｂが交差する角度θが４５°近辺でロールスクリーン９の巻取り張力Ｆ２とシザース機構が展開しようとする展開分力Ｆ３とをほぼ近衡対抗させる（Ｆ２≦Ｆ３）。そして、２本の支持部材７ａ，７ｂが交差する角度θが４５°を超えると、ロールスクリーンの巻取り張力Ｆ２と展開分力Ｆ３の関係が、Ｆ２＜Ｆ３を満たし、シザース機構、即ち、横引用コンパクト看板１が自動的に展開する。
【００４８】
図１２に示すように、２本の支持部材７ａ，７ｂが交差する角度θが略９０°近辺において、シザース機構が展開しようとする展開分力Ｆ３がほぼ最大になる。このとき、ロールスクリーンの巻取り張力Ｆ２と展開分力Ｆ３の関係が、Ｆ２＜Ｆ３を満たすように、引っ張りバネ３の引っ張り張力Ｆ１と巻取バネ９ａの巻取り張力Ｆ２とを決定する。この決定に基づき引っ張りバネ３と巻取バネ９ａを対応設計する。図１２に示す状態で、スクリーン収納部２１からスクリーン１９がすべて引き出された状態となり、横引き用コンパクト看板１が展開した状態となる。
【００４９】
ゆえに、ロールスクリーン９のスクリーン１９に展開分力Ｆ３に耐えうる大きな張力を与えてスクリーン１９にたるみが出ない状態にしつつ、軽い力でシザース機構を展開でき、かつ、左右の支柱５ａ，５ｂを確実に近接させて、シザース機構を折り畳むことができる。
【００５０】
＜変形例＞
上記実施の形態では、２本の支持部材７ａ，７ｂが交差する角度θが４５°近辺でロールスクリーン９の巻取り張力Ｆ２とシザース機構が展開しようとする展開分力Ｆ３とをほぼ近衡対抗させる（Ｆ２≦Ｆ３）と説明したが、これに限られない。ほぼ近衡対抗させる角度θを、例えば３０°や６０°、その他の角度で設計しても良い。
【符号の説明】
【００５１】
１…横引用コンパクト看板
３…引っ張りバネ
５ａ…支柱
５ｂ…支柱
７ａ…支持部材
７ｂ…支持部材
９…ロールスクリーン
１１ａ…補助脚
１１ｂ…補助脚
１３…長溝
１３ａ…溝
１５ａ…第１の補強部材
１５ｂ…第１の補強部材
１７…第２の補強部材
１９…スクリーン
２１…スクリーン収納部
２３…スクリーン支持部
２５…固定部材
２７…上部側リング
２９…スライド部材
３１…下部側リング
【図１】
2015036693.tif 000003
【図２】
2015036693.tif 000004
【図３】
2015036693.tif 000005
【図４】
2015036693.tif 000006
【図５】
2015036693.tif 000007
【図６】
2015036693.tif 000008
【図７】
2015036693.tif 000009
【図８】
2015036693.tif 000010
【図９】
2015036693.tif 000011
【図１０】
2015036693.tif 000012
【図１１】
2015036693.tif 000013
【図１２】
2015036693.tif 000014